(57)【要約】      （修正有）【課題】  射出機のノズルの目詰りの虞れがなく、型側における絞り部の偏芯を抑制して成形材料の供給の均一性を確保しつつ、予めの昇温を可能にした射出成形機を提供する。【解決手段】  型３の注入口４から延びる注入流路６に、該注入流路６と接触する複数のガイド部７Ｇとこれらのガイド部７Ｇ間に形成された成形材料を発熱させるための発熱流路７Ｈとを備える発熱部材７を配置したことにより、射出機側では目詰りを引き起こす虞れがなく、型３の注入流路６に発熱部材７が複数のガイド部７Ｇにて接触するので発熱部材７が成形材料の流れによって偏芯することがなく、注入流路６自体の形状が簡素でありながら発熱部材７との間に有効な絞り部（発熱流路７Ｈ）が形成され、成形材料の流動特性に偏りを生じないので、加硫不足や過加硫による品質の不均衡が発生せず、加硫製品の均一性が確保できる。【選択図】  図１
2008055612.tif 000002
【特許請求の範囲】
【請求項１】
射出機の注入ノズルを型の注入口に当接させて射出機からの成形材料を型に注入する射出成形機において、前記型の注入口から延びる注入流路に、該注入流路と接触する複数のガイド部とこれらのガイド部間に形成された成形材料を発熱させるための発熱流路とを備える発熱部材を配置したことを特徴とする射出成形機。
【請求項２】
前記注入流路を錐状に形成するとともに、前記発熱部材の各ガイド部を前記注入流路の錐状部に接するように構成したことを特徴とする請求項１に記載の射出成形機。
【請求項３】
前記注入流路が、型のランナー部材と分離可能なロケート部材に形成されたことを特徴とする請求項１または２に記載の射出成形機。
【請求項４】
前記発熱部材が型と別体にて構成されたことを特徴とする請求項１から３のいずれかに記載の射出成形機。
【請求項５】
前記発熱部材の一部が型に形成された凹部内に収容されて支持されたことを特徴とする請求項４に記載の射出成形機。
【請求項６】
前記発熱部材のガイド部は、前記注入流路と面接触するように構成されたことを特徴とする請求項１から５のいずれかに記載の射出成形機。
【請求項７】
前記発熱部材にダストポケットが形成されたことを特徴とする請求項１から６のいずれかに記載の射出成形機。
【発明の詳細な説明】
【技術分野】
【０００１】
本発明は、防振ゴム等のゴム製品を加硫成形する際に使用する射出成形機に係り、射出機の注入ノズルを型の注入口に当接させて射出機からの成形材料を型に注入する射出成形機に関する。
【背景技術】
【０００２】
通常、防振ゴム等のゴム製品を射出成形機にて加硫する場合、生産性を向上させるために加硫時間の短縮が重要な要因となっている。このような加硫時間の短縮のための一般的な手法として、型内で成形すべき成形材料の温度を予め上げておくことが有効な方法として従来から種々の技術が提案されて採用されてきた。なかでも一般に用いられている方法は、射出機のノズルの内径を小さく形成して絞り部を構成し、該絞り部を通過する成形材料（未加硫の生ゴム等）の自己発熱を利用して成形材料の温度を予め上げておくことができる。このような加硫に先立って成形材料を予め昇温させておく典型的な技術として下記特許文献１および特許文献２に開示されたものが提案された。
【特許文献１】特開２０００−３１７９８６号公報（公報請求項１参照）。
【特許文献２】特開２００４−１８８８２５号公報（公報請求項１参照）。
【発明の開示】
【発明が解決しようとする課題】
【０００３】
図４を用いて前記特許文献１に開示された第１従来例の射出成形機を説明する。この特許文献１に開示されたものは、射出機のノズル先端に絞り部を形成したもので、ノズル１０１を貫通して延びる射出用流路１０５を有するものにおいて、前記射出用流路１０５の少なくとも１つの部分が非円形断面を有するオリフィス１０６として形成され、このオリフィス１０６の断面形状が、一方向に長く、かつその長軸方向の少なくとも両端部において、これら両端部に近くなるほど前記長軸と直交する方向の寸法が漸次小さくなる偏平形状をなすように構成されたものである。このような構成により、ノズル１０１を通過する成形材料が剪断摩擦により自己発熱し、加硫に先立って予め昇温されるので、成形材料の加硫時間が短縮されることとなった。
【０００４】
しかしながら、第１従来例のものではノズル１０１のオリフィス１０６を成形材料が通過することで、型１４０内における加硫に先立って、成形材料の温度を予め昇温させておくことで加硫時間の短縮が可能となったものの、オリフィス１０６の径が小さく形成されたことで、成形材料の内部発熱による昇温が金属部であるノズル自体の温度も過度に昇温させる虞れが生じる。これによって、次回の射出待機時に、ノズル自体の高熱により該ノズル部に充填されたままの前回の未加硫の成形材料が加硫されてしまい、流動性を失った加硫材料によりノズルが詰まり、以後の射出成形の続行不能に陥る虞れがあった。
【０００５】
そこで、図５に示す特許文献２に開示されたような第２従来例の型側に絞り部を配置したものが提案された。この特許文献２に開示されたものを説明すると、射出機２０１の先端のノズル２０５が金型２０４のノズルタッチ２１０に当接して、射出機２０１から成形材料を金型２０４に注入射出する射出成形機において、型２０４のランナー２１２とノズルタッチ２１０の両面間に形成されているスプール２１１に同心的に分流子２１６を遊嵌し、前記分流子２１６を前記スプール２１１の軸方向に移動可能にし、前記分流子２１６を移動させる駆動手段２５０を設けたもので、型２０４側にて、スプール２１１と分流子２１６との間に絞り部が形成され、この絞り部にて成形材料の自己発熱による昇温がなされるので、前記図４の射出機のノズル先端に絞り部を形成したもののように、ノズル自体の高熱により該ノズル部に充填されたままの前回の未加硫の成形材料が加硫されて、流動性を失った加硫材料によりノズルが詰まり、射出成形の続行不能に陥る虞れがなくなった。
【０００６】
しかしながら、この第２従来例のものにあって、狭隘なスプール２１１内に起立配置された分流子２１６は錐状のピン状を呈しているため、成形材料の高い射出圧力（１００〜１５９ＭＰａ）と速い流速（１ｍ／秒程度）に耐えられず、倒れ現象を生じてスプール２１１の流路内にて偏芯してしまう虞れがあった。これにより成形材料の流れに偏りが生じ、広い隙間側に流れが集中するとともに、狭い隙間側で停滞した成形材料内に、局部的に化学反応が進行する「焼け」によって異物を生じる。そに一部が正常な流れの中に混入して加硫成形品の品質に重大な欠陥を生じる虞れがあった。
【０００７】
また、射出機２０１のノズル２０５については、毎回の射出終了後、ノズルタッチ２１０との接触から離れて数センチ程度上昇する。通常、このノズル２０５の先端の周囲には焼けた成形材料の異物が付着しており、この異物は時として脱落してノズルタッチ２１０注入口からスプール２１１内に侵入してしまう。そして、次回の射出時に、ノズル２０５から注入射出される正常の成形材料に混入して、スプール２１１内における分流子２１６との絞り部の流路を閉塞してしまい、射出トラブルを生じる虞れがあった。
【０００８】
そこで本発明は、このような従来の射出成形機の諸課題を解決し、射出機側のノズルの目詰りの虞れがなく、型側における絞り部の偏芯を抑制して複数のキャビティへの成形材料の供給の均一性を確保しつつ、成形材料の予めの昇温を可能にした射出成形機を提供することを目的とする。
【課題を解決するための手段】
【０００９】
このため本発明は、射出機の注入ノズルを型の注入口に当接させて射出機からの成形材料を型に注入する射出成形機において、前記型の注入口から延びる注入流路に、該注入流路と接触する複数のガイド部とこれらのガイド部間に形成された成形材料を発熱させるための発熱流路とを備える発熱部材を配置したことを特徴とする。また本発明は、前記注入流路を錐状に形成するとともに、前記発熱部材の各ガイド部を前記注入流路の錐状部に接するように構成したことを特徴とする。また本発明は、前記注入流路が、型のランナー部材と分離可能なロケート部材に形成されたことを特徴とする。また本発明は、前記発熱部材が型と別体にて構成されたことを特徴とする。また本発明は、前記発熱部材の一部が型に形成された凹部内に収容されて支持されたことを特徴とする。また本発明は、前記発熱部材のガイド部は、前記注入流路と面接触するように構成されたことを特徴とする。また本発明は、前記発熱部材にダストポケットが形成されたことを特徴とするもので、これらを課題解決のための手段とする。
【発明の効果】
【００１０】
本発明によれば、射出機の注入ノズルを型の注入口に当接させて射出機からの成形材料を型に注入する射出成形機において、前記型の注入口から延びる注入流路に、該注入流路と接触する複数のガイド部とこれらのガイド部間に形成された成形材料を発熱させるための発熱流路とを備える発熱部材を配置したことにより、従来の射出機の注入ノズルに絞り部を形成したもののように、ノズル自体の高温化によりノズル自体内部の成形材料が硬化して発生する不純物により目詰りを引き起こすことがないばかりか、型の注入口から延びる注入流路に発熱部材が複数のガイド部にて接触するので、注入流路自体の形状が簡素でありながら発熱部材との間に有効な絞り部（発熱流路）が形成され、しかも、発熱部材が成形材料の流れによって偏芯することがなく、成形材料の流動特性に偏りを生じないので、加硫不足や過加硫による品質の不均衡が発生せず、加硫製品の均一性が確保できる。
【００１１】
また、前記注入流路を錐状に形成するとともに、前記発熱部材の各ガイド部を前記注入流路の錐状部に接するように構成した場合は、注入流路に対して発熱部材を組み付ける際には、注入流路の錐状部に対する発熱部材のガイド部が効果的にガイドされて正確に調芯位置に組み付けられて、精度向上に寄与する。そればかりでなく、注入流路と発熱部材間に製作誤差等による微細な芯ずれがあっても、それらの芯ずれを吸収することもできる。さらに、前記注入流路が、型のランナー部材と分離可能なロケート部材に形成された場合は、絞り部を構成する注入流路の錐状部の加工・チューニングが容易となる。さらに、注入射出される成形材料の特性に合わせて、注入流路の錐状部の諸元を異にしたロケート部材を数種類を準備することで、加硫製品の仕様変更等に迅速に対応することができて、作業効率が向上する。
【００１２】
さらにまた、前記発熱部材が型と別体にて構成された場合は、発熱部材自体の加工・チューニングが容易で、仕様変更にも容易に対応でき、発熱部材の強度や熱耐久性の良好な材質のものを選定でき、設計の自由度が向上する。さらに、消耗の激しい発熱部材のみを交換できるので、型全体を交換する必要がなく、ランニングコストを低減できる。また、前記発熱部材の一部が型に形成された凹部内に収容されて支持された場合は、発熱部材を精度良く組み付けるが可能になるとともに、発熱部材の型への支持強度を向上させることができる。
【００１３】
さらに、前記発熱部材のガイド部は、前記注入流路と面接触するように構成された場合は、発熱部材が注入流路内にて成形材料から偏芯圧力を受けても、発熱部材のガイド部が注入流路と面接触していることにより、面圧が低くなり、注入流路内で発熱部材が偏芯することなく確実にその位置を維持でき、しかも、注入流路に対して損傷を与えることもない。さらにまた、前記発熱部材にダストポケットが形成された場合は、万一、射出機のノズル先端から異物が落下して、型の注入流路内に侵入しても、発熱部材のダストポケット内に捕捉して、絞り部を含む流路内への不純物の侵入が防止され、加硫製品の均一性が確保できる。
【発明を実施するための最良の形態】
【００１４】
以下、本発明の射出成形機の実施例を図面に基づいて説明する。図１は本発明の射出成形機の第１実施例を示す要部断面図、図２は本発明の射出成形機にて使用される発熱部材の各例の斜視図、図３は本発明の射出成形機の第２実施例を示す要部断面図である。本発明の基本的な構成は図１に示すように、射出機１の注入ノズル２を型３の注入口４に当接させて射出機１からの成形材料５を型３に注入する射出成形機において、前記型３の注入口４から延びる注入流路６に、該注入流路６と接触する複数のガイド部７Ｇとこれらのガイド部７Ｇ間に形成された成形材料５を発熱させるための発熱流路７Ｈとを備える発熱部材７を配置したことを特徴とする。
【実施例１】
【００１５】
図１は本発明の射出成形機の第１実施例を示す要部断面図である。射出機１は、図示外のスクリュ押出機により溶融状態にて押し出されてきた成形材料５がポット内から射出機流路８内に流下する。同時にその圧力によりポット上方に収容された射出用のプランジャを上昇させるとともに、射出機１の下端部に設置された注入ノズル２に到達するように構成されている。そして、射出機１の下方に設置された金型等の型３は、図１の実施例では、上方から順次積層配設された、ランナー部材３Ｃ、上型３Ａおよび下型３Ｂとから構成される。これら３つのの部材は適宜の方法にて接合固定される。
【００１６】
図示の例では、上型３Ａの上部に積層されたランナー部材３Ｃに、鉛直状に注入流路６が形成される。該注入流路６の上端部には注入口４が形成される。注入口４は、前記射出機１の注入ノズル２と当接する適合形状、好適には注入ノズル２の凸錐状面に対してこれを受け入れる凹錐状面とされる。注入流路６内には、上型３Ａから上方に突出形成される発熱部材７が形成される。注入口４の凹錐状面の下端部から所定径の注入流路６が下方に延び、注入流路６の後半は下流ほど径が漸増する錐状部６Ｔ（図示の例では円錐状であるが、角錐状等の非円形状を排除するものではない。その場合は円筒状の発熱部材との組合せにより後述するガイド部および発熱流路を形成できる）が形成される。
【００１７】
ランナー部３Ｃと上型３Ａとの接合面には、水平状の分岐流路１１が複数個形成される。図示の例では、ランナー部３Ｃ側に流路を構成する溝部が形成されるが、上型３Ａの上面に溝部を形成してもよい。分岐流路１１は、加硫成形すべき製品の数に応じて形成されたキャビティ９の数に応じて形成される。図示の例ではキャビティ９が９Ａ、９Ｂの２個形成され、したがって、分岐流路も１１Ａ、１１Ｂの２本が形成される。３個、４個あるいはそれ以上のキャビティ９の数に応じて、３本、４本あるいはそれ以上の分岐流路が形成される。平面視で放射状に配設される。鉛直状の注入流路６から水平状の分岐流路１１Ａ、１１Ｂ、１１Ｃ・・・に移行する地点に分岐部が形成される。キャビティ９は上型３Ａと下型３Ｂとの対向面に形成され、加硫成形後に、上型３Ａと下型３Ｂとを分離することで容易に成形品の離型を行うことができる。
【００１８】
前記注入流路６における錐状部６Ｔに、該錐状部６Ｔと接触する発熱部材７が収容される。発熱部材７は上型３Ａから上方へ突出形成されている。発熱部材７を詳細に説明する。図２は後述する第２実施例のもの、すなわち発熱部材７と上型３Ａとが別体にて構成されたものの実施例であるが、これら発熱部材７の上半分は同様の構成であるので、図１の上型３Ａから突出形成された部分である発熱部材７として説明すると、図２（Ａ）のものは、発熱部材７が、前記注入流路６の錐状（円錐状）部６Ｔに円周上の３か所にて面接触する錐状（円錐状）のガイド部７Ｇとこれらのガイド部７Ｇ間に形成された成形材料を発熱させるための絞り部を構成する平板状すなわち角錐状の発熱流路７Ｈとを備える。
【００１９】
図２（Ｂ）のものは、発熱部材７が、前記注入流路６の錐状（円錐状）部６Ｔに円周上の４か所にて面接触する錐状（円錐状）のガイド部７Ｇとこれらのガイド部７Ｇ間に形成された成形材料を発熱させるための平板状の溝すなわち角錐状の４つの発熱流路７Ｈとを備える。図１に戻り、このようにして上型３Ａから上方へ突出形成された発熱部材７の前記ガイド部７Ｇは、上型３Ａに対してランナー部材３Ｃを組み付けることによって、発熱部材７のガイド部７Ｇの全てのものがランナー部材３Ｃにおける注入流路６の錐状部６Ｔにガイドされつつ接触して適正位置に位置決めされる。このとき、ガイド部７Ｇ間で注入流路６の錐状部６Ｔとの間に形成された隙間に絞り部である発熱流路７Ｈが構成される。この発熱流路７Ｈを成形材料が流れる際に、成形材料が自己発熱により昇温される。昇温した成形材料は流下し易くなって分岐流路１１Ａ、１１Ｂに向かう。成形材料は分岐流路１１Ａ、１１Ｂのそれぞれから各キャビティ９Ａ、９Ｂに充填されて、型内に配備された蒸気通路や加熱ヒータ等の適宜の加熱手段により加硫成形されることになる。
【００２０】
かくして、本発明では、型側に成形材料の自己発熱を誘う発熱部材を配置したことにより、従来の射出機の注入ノズルに絞り部を形成したもののように、ノズル自体の高温化によりノズル自体内部の成形材料が硬化して発生する不純物により目詰りを引き起こすことがないばかりか、型の注入口から延びる注入流路に発熱部材が複数のガイド部を介して接触するので、注入流路自体の形状が簡素でありながら発熱部材との間に有効な絞り部が形成され、しかも、発熱部材が成形材料の流れによって偏芯することがなく、成形材料の流動特性に偏りを生じないので、加硫不足や過加硫による品質の不均衡が発生せず、加硫製品の均一性が確保できる。しかも、注入流路に対して発熱部材を組み付ける際には、注入流路の錐状部に対する発熱部材のガイド部が効果的にガイドされて正確に調芯位置に組み付けられて、精度向上に寄与できる他、注入流路と発熱部材間に製作誤差等による微細な芯ずれがあっても、複数のガイド部の存在によってそれらの芯ずれを吸収できる。
【実施例２】
【００２１】
図２および図３は本発明の第２実施例を示すもので、図２は分離可能な発熱部材の２つの例、図３は要部断面図である。本実施例のものは、発熱部材７と組み合わされるべき注入流路６がランナー部材３Ｃとは別体のロケート部材１２に形成されるとともに、前記射出ノズル２と接触する注入口４がロケート部材１２にさらに螺合されるノズル部材１５に形成される。前記ロケート部材１２は平板部１２Ａが取付ボルト１３によって取り付けられ、そのほぼ中心に位置する鉛直状の脚部１２Ｂがランナー部材３の対応位置に形成された孔部に嵌合される。ランナー部材３Ｃとロケート部材１２とが分離可能に形成されていることによって、絞り部を構成する注入流路６の錐状部６Ｔの加工・チューニングが容易となる。さらに、注入射出される成形材料の特性に合わせて、注入流路６の錐状部６Ｔの諸元を異にしたロケート部材１２を数種類を準備することで、加硫製品の仕様変更等に迅速に対応することができて、作業効率が向上する。
【００２２】
本実施例ではさらに、発熱部材７が上型３Ａに対して分離可能に設置される。発熱部材７は前述した図２（Ａ）や図２（Ｂ）に示したものを、対応する上型３Ａの上面に刻設した凹部（インロー部）１８に適合して埋設保持される。発熱部材７の一部が上型３Ａに形成された凹部１８内に収容されて支持されて、発熱部材７を精度良く組み付けるが可能になるとともに、発熱部材７の型への支持強度を向上させることができる。しかも、分離可能な発熱部材７自体の加工・チューニングが容易で、仕様変更にも容易に対応でき、発熱部材７の強度や熱耐久性の良好な材質のものを選定でき、設計の自由度が向上する。さらに、消耗の激しい発熱部材７のみを交換できるので、型全体を交換する必要がなく、ランニングコストを低減できる。また、発熱部材７の中心部にはダストポット１６が形成されて、万一、射出機のノズル先端から異物が落下して、型の注入流路６内に侵入しても、これを捕捉して絞り部を含むの流路内への不純物の侵入を防止し、加硫製品の均一性が確保できる。
【００２３】
以上、本発明の実施例について説明してきたが、本発明の趣旨の範囲内で、押出部（スクリュ等の回転による成形材料の溶融および押出し形態等）を含む射出機の形状、形式（ポットの形状や形式およびポット内における射出用プランジャの配設形態、射出用プランジャによる射出機からの成形材料の射出形態）、射出機における注入ノズルの形状（成形材料を昇温させて流動性を良化するために少しだけ絞り部を形成してもよい）、形式、型、ランナー部材、ロケート部材（脚部を用いた絞り部の形成等）およびノズル部材の形状、形式およびそれらの材質（注入流路や錐状部を形成するのに適した素材を選定できる）、ならびにそれらの間の接合固定形態（直接に螺合、固定ビス等による固定等）、それらの部材における注入流路や錐状部の形状、形成部位等については適宜選定できる。
【００２４】
また、注入口の形状（好適には円形状の凹錐状面とされるが、非円形の凹錐状面も採用され得る。その場合には、射出機側の注入ノズルも対応の凸錐状面とされる）、形式、注入流路、ガイド部および発熱流路部の錐状面形状（ガイド部が面接触で注入流路の錐状部に接触する他、線接触にて接触するものを排除するものではない）を含む発熱部材の形状、形式およびその注入流路の錐状部に対する関連構成（実施例のもののように、注入流路の錐状部と発熱部材の錐状部の両方とも円錐状とする他、注入流路の錐状部が非円形で発熱部材の錐状部が円形として発熱流路が形成されてもよいし、注入流路の錐状部が円形で発熱部材の錐状部が非円形として発熱流路が形成されてもよい。）、ダストポケットの形成形態、発熱部材の上型への支持固定形態（型の凹部に収納する他、型に形成した突起に発熱部材底部に形成した凹部を嵌合するようにすることもできる）、分岐流路の形状、形式、キャビティの形状、形式および数等についても適宜選定することができる。
【図面の簡単な説明】
【００２５】
【図１】本発明の射出成形機の第１実施例を示す要部断面図である。
【図２】本発明の射出成形機にて使用される発熱部材の各例の斜視図である。
【図３】本発明の射出成形機の第２実施例を示す要部断面図である。
【図４】射出成形機の第１従来例の要部断面図である。
【図５】射出成形機の第２従来例の要部断面図およびその一部の拡大図である。
【符号の説明】
【００２６】
１          射出機
２          注入ノズル
３          型
３Ａ          上型
３Ｂ          下型
３Ｃ          ランナー部材
４          注入口
５          成形材料
６          注入流路
６Ｔ          錐状部
７          発熱部材
７Ｇ          ガイド部
７Ｈ          発熱流路
８          射出機流路
９Ａ          キャビティ
９Ｂ          キャビティ
１１Ａ          分岐流路
１１Ｂ          分岐流路
【図１】
2008055612.tif 000003
【図２】
2008055612.tif 000004
【図３】
2008055612.tif 000005
【図４】
2008055612.tif 000006
【図５】
2008055612.tif 000007